(57)【要約】      （修正有）【課題】被挟持物に固定するために使用されるフレームジョインタであって、使い勝手がよく、しかも安全性の高いフレームジョインタを提供すると共に、そのようなフレームジョインタを備えたベッド用手摺を提供する。【解決手段】フレームジョインタ１は、支柱に取り付けるための挿通孔１１を備えた本体１０と、支柱３に対して任意の位置で固定するために本体１０に設けられた固定手段１３と、本体１０の外周面から延伸するようにして設けられた基部１５と、基部１５から直角方向に突設するようにして設けられた二本の腕部材２１、２３と、二本の腕部材２１、２３の間にスライド可能に配置された挟持部３０と、被挟持物を基部１５と挟持部３０との間で挟持するために挟持部３０を締着固定するためのネジ部材１７とを備えて構成され、ベッド用手摺は支柱にフレームジョインタ１が取り付けられて形成する。【選択図】図１
0003146827.tif 000002
【実用新案登録請求の範囲】
【請求項１】
支柱に取り付けるための挿通孔を備えた本体と、
前記支柱に対して任意の位置で固定するために前記本体に設けられた固定手段と、
前記本体の外周面から延伸するようにして設けられた基部と、
前記基部から直角方向に突設するようにして設けられた二本の腕部材と、
前記二本の腕部材の間にスライド可能に配置された挟持部と、
被挟持物を前記基部と前記挟持部との間で挟持するために当該挟持部を締着固定するためのネジ部材と、
を備えて構成されてなることを特徴とするフレームジョインタ。
【請求項２】
請求項１に記載のフレームジョインタにおいて、
前記挟持部は、前記腕部の突出方向に対して直角、且つ、前記基部と平行に伸びる挟持片を備え、前記挟持片と前記基部との間で前記被挟持物を挟持固定するように形成されていることを特徴とするフレームジョインタ。
【請求項３】
請求項１又は２に記載のフレームジョインタにおいて、
前記本体の外周面の断面形状が円形であり、
前記基部は、断面が円形状の前記本体の外周面の接線方向に沿って形成されており、
前記ネジ部材は、前記基部から前記腕部と平行な方向に挿通されて前記支持部に取り付けられていることを特徴とするフレームジョインタ。
【請求項４】
基台上に立設された一対の支柱の間に架け渡された一又は複数の手摺部材を備えたベッド用手摺の前記支柱のいずれか一方側又はその両方に請求項１から３のいずれか１項に記載のフレームジョインタを備えて構成され、前記被挟持物であるベッド側面のフレームに挟持固定して使用することを特徴とするベッド用手摺。
【考案の詳細な説明】
【技術分野】
【０００１】
本考案は、フレームジョインタ及びそれを備えたベッド用手摺に関し、さらに詳しくは、例えば、ベッドのフレームなどの被挟持物を挟持して手摺の支柱などを固定するためのフレームジョインタ及びそれを備えたベッド用手摺に関する。
【背景技術】
【０００２】
従来、支えに掴まりながらでないとベッドから起き上がる事ができない高齢者や、下肢が不自由な者、あるいは手術後のリハビリを行っている者などが使用する立ち上がり動作補助具として特許文献１に示すものが提供されている。特許文献１に示された立ち上がり補助具は、これまで単に床に置くだけで設置していた立ち上り動作補助具は転倒し易いという問題を有していたことから、横荷重がかかっても転倒しにくい立ち上り動作補助具を提供しようとするものである。
【０００３】
特許文献１に示された立ち上がり動作補助具は、具体的には、少なくとも平行に対向する1対の支柱部間に横桟を連結して組み立てられる手摺本体と、手摺本体の支柱部下端部を垂直に保持する受部を立設したベース部とから成り、受部または支柱部に、被取付物へ掛止可能な転倒防止機構を取付けたことを特徴としており、また、転倒防止機構は、ベース部の受部または手摺本体の支柱部を上下動可能な高さ調整体の側壁から連接する所定長さの固定アームを設けるとともに、受部または支柱部へ高さ調整体を固定する第1固定手段を設けたことを特徴としており、さらに、転倒防止機構は、固定アームに、被取付物を挟持する狭持機構を設けたことを特徴としている。
【０００４】
【特許文献１】実用新案登録第３１２７５４２号公報
【考案の開示】
【考案が解決しようとする課題】
【０００５】
特許文献１の立ち上り動作補助具における転倒防止機構として具体的に示された挟持機構は、固定アーム上をスライドする口字形状のスライド部と、このスライド部に設けられたネジ孔を介してスライド部を固定アームに固定するネジ等の第２固定手段とからなり、ベッド側板における下部空間の縁部に固定アームを下側から当接させた後、スライド部をベッド側板に向って固定アーム上を移動させて第２固定手段を固定アームに締付けて挟持するというものである。
【０００６】
しかし、特許文献１の図５に示されているように、スライド部はベッドの側板を内側から挟持するように構成されているので、スライドに設けられた第２固定手段は当然ベッドと床との隙間の内側に位置することになる。しかも、第２固定手段は下から上に向かってねじが挿通されていることから第２固定手段の締着固定はベッドと床との間の隙間に手を入れて行うことになる。そのため、立ち上がり動作補助具の取り付け及び取り外しが行い難く、使い勝手がよくないという問題があった。
【０００７】
また、特許文献１の立ち上がり動作補助具は、第２固定手段は、その構造上、上から下へ向かうようなねじ止め構造とすることはができないことから固定アームは下からベッドの側板に当接させて固定せざるを得ない。また、特許文献１の立ち上がり動作補助具は、スライド部をベッドの側板に当接させた状態でスライド部を固定アームにネジ等の第２固定手段でネジ止めすることによりベッドの側板を固定する構造となっているため第２固定手段をきつく閉めてもスライド部はベッド側板を押圧する方向には働かない。そのため固定アームが緩んだり、しっかりと固定されていないと下方に下がり、それによってスライド部による挟持も緩むおそれがある。
【０００８】
そこで、本考案は、上述の立ち上がり動作補助具を含むベッド用の手摺などをベッドのフレームに固定するために使用されるフレームジョインタであって、使い勝手がよく、しかも安全性の高いフレームジョインタを提供することを目的とする。
【０００９】
また、本考案は、そのようなフレームジョインタを備えたベッド用手摺を提供することを目的とする。
【課題を解決するための手段】
【００１０】
上記課題を解決するために請求項１に記載の本考案は、支柱に取り付けるための挿通孔を備えた本体と、支柱に対して任意の位置で固定するために本体に設けられた固定手段と、
本体の外周面から延伸するようにして設けられた基部と、基部から直角方向に突設するようにして設けられた二本の腕部材と、二本の腕部材の間にスライド可能に配置された挟持部と、被挟持物を基部と挟持部との間で挟持するために挟持部を締着固定するためのネジ部材とを備えて構成されてなることを特徴とするフレームジョインタを提供する。
【００１１】
上記課題を解決するために請求項２に記載の本考案は、請求項１に記載のフレームジョインタにおいて、挟持部は、腕部の突出方向に対して直角、且つ、基部と平行に伸びる挟持片を備え、挟持片と基部との間で被挟持物を挟持固定するように形成されていることを特徴とする。
【００１２】
上記課題を解決するために請求項３に記載の本考案は、請求項１又は２に記載のフレームジョインタにおいて、本体の外周面の断面形状が円形であり、基部は、断面が円形状の本体の外周面の接線方向に沿って形成されており、ネジ部材は、基部から腕部と平行な方向に挿通されて支持部に取り付けられていることを特徴とする。
【００１３】
上記課題を解決するために請求項４に記載の本考案は、基台上に立設された一対の支柱の間に架け渡された一又は複数の手摺部材を備えたベッド用手摺の支柱のいずれか一方側又はその両方に請求項１から３のいずれか１項に記載のフレームジョインタを備えて構成され、被挟持物であるベッド側面のフレームに挟持固定して使用することを特徴とするベッド用手摺を提供する。
【考案の効果】
【００１４】
本考案に係るフレームジョインタ及びそれを備えたベッド用手摺によれば、本体の外周面から延伸するようにして設けられた基部から直角方向に突設するようにして設けられた二本の腕部材に挟持部を配置し、そして、基部に被挟持物を挟持するためのねじ部材を設けたので被挟持物などによってねじ部材の締着動作が妨げられることがないという効果がある。そのため、本発明に係るフレームジョインタを備えたベッド用手摺はその取り付け及び取り外しの際の使い勝手がよいという効果がある。
【００１５】
また、本考案に係るフレームジョインタ及びそれを備えたベッド用手摺によれば、挟持片を備えた腕部材を被挟持物の上方側からから当接させることができ、また、ネジ部材によって被挟持物を押圧しつつ挟持することができるので万が一本体を固定するための固定手段に緩みが生じたとしても挟持片の被挟持物の固定は確保されると共に直ちに本体が落下することはないので従来の立ち上がり補助具に比べて安全性が高いという効果がある。
【考案を実施するための最良の形態】
【００１６】
本考案に係るフレームジョインタ及びそれを備えたベッド用手摺について図面を参照しつつ以下詳細に説明する。図１は本考案に係るフレームジョインタの好ましい一実施形態の平面図、図２は腕部材方向から見た側面図、図３はつまみねじ側から見た側面図である。図示されたフレームジョインタ１は、概略的に、挿通孔１１を備えた本体１０と、固定手段であるつまみねじ１３と、基部１５と、二本の腕部材２１、２３と、二本の腕部材２１、２３の間にスライド可能に配置された挟持部３０と、挟持部３０を締着固定するためのネジ部材１７を備えて構成されている。
【００１７】
本体１０は、支柱３に取り付けるために支柱３を挿通するための挿通孔１１を備えており、本実施形態では本体１０の外周面の断面形状は円形状とされている。これにより、このフレームジョインタ１は円筒状のパイプ部材によって形成される支柱３に取り付けられる構造となっている。挿通孔１１の断面形状は円形状のものに限られるものではなく、例えば、断面方形状とすれば、角筒状の長尺部材を支柱３とするものに取り付けるタイプのものとすることができる。本体１０は、支柱３と被挟持物とをしっかりと固定するものであるため堅牢性が要求されることから、金属製材料によって形成することが好ましい。
【００１８】
本体１０には、支柱３に対して任意の位置で固定するために設けられたつまみねじ１３が取り付けられている。つまみねじ１３を締め付けることでフレームジョインタ１は支柱３にしっかりと固定されるようになっている。このつまみねじ１３は、図１に示すように、
後述する腕部材２１、２３の突出方向に対して所定の角度だけ傾斜した方向で支柱３を締着するようになっている。そのため、後述するネジ部材１７の締着操作を妨げることがなく、使い勝手がよい。
【００１９】
図１に示すように、断面が円形状の本体１０の外周面の接線方向に伸びるようにして基部１５が形成されている。そして、基部１５にはその延伸方向に対して直角方向に突設するようにして二本の腕部材２１、２３が設けられている。腕部材２１、２３は、その平面形状がＵ字状をなし、それぞれ対向する内側面には段部２１ａ、２３ａが形成されており、後述する挟持部３０のスライド部材３１が腕部材２１、２３の長手方向に沿ってスライド可能に配設されるようになっている。
【００２０】
挟持部３０は、段部２１ａ、２３ａの間をスライド可能に形成されたスライド部材３１と、スライド部材３１に設けられた挟持片３３を備えて構成されている。スライド部材３１には基部１５を貫通し、腕部材２１、２３と平行な方向に伸びるようにして取り付けられたネジ部材１７が螺合されており、ネジ部材１７を回すことによりスライド部材３１が基部１５に近づいたり遠ざかる方向に移動するするようになっている。
【００２１】
挟持部３０は、また、腕部材２１、２３の突出方向に対して直角方向で、且つ、基部１５と平行に伸びる挟持片３３を備えており、本実施形態では挟持片３は腕部材２１、２３に対して下側に向かって伸びるようにして配置されている。挟持片３３は板状部材であり、被挟持物５と接する面側にラバー部材などの滑り止め機能有する材料や、被挟持物５にキズをつけないようにするためのクッション材などを貼り付けておくとよい。かかる構成により、ネジ部材１７を締めると、スライド部材３１が基部１５側に移動し、それによって、挟持片３３は被挟持物５と当接して被挟持物５を押圧するようにして固定されることになる。これによりフレームジョインタ１は被挟持物５にしっかりと固定される。また、ネジ部材１７は腕部材２１、２３と平行な方向で基部１５に挿入されているので被挟持物５の前面側からネジ部材１７の操作を行うことができると共に、つまみねじ１３はネジ部材１７に挿通方向からも傾斜（本実施形態では４５°傾斜）しているのでネジ部材１７の締め込みや取り外しに際しても邪魔になることがない。
【００２２】
次に、上述したフレームジョインタ１を備えたベッド用手摺について説明する。図４はフレームジョインタを備えたベッド用手摺の一実施形態の斜視図である。図示されたベッド用手摺５０は、ベース５１上側縁部の近傍の２箇所に支柱保持部５３、５３が配置され、その支柱保持部５３、５３にパイプ状の２本の支柱５５、５５がそれぞれ立設されており、２本の支柱５５、５５の間には、ジョイントを介して水平に手摺部材５７、５９がそれぞれ上下２段に配置されて構成されている。そして、支柱５５、５５の一方側にフレームジョインタ１が取り付けられている。なお、フレームジョインタ１の取り付けは本実施形態とは反対側の支柱５５に取り付けてもよく、また両方の支柱５５、５５に取り付けることもできる。
【００２３】
このベッド用手摺５０の使用方法について、上述したフレームジョインタ１の使用方法と共に説明する。まず、ベッド用手摺５０のベース５１の先端側をベッドの下側へ進入させるようにしてベッド近くに配置する。そして、つまみねじ１３を緩め、フレームジョインタ１を被挟持物５であるベッドのベッドフレームより高い位置へ移動させると共に、被挟持物５であるベッドフレームが挟持部３０の挟持片３３と基部１５との間に位置するようにネジ部材１７を回して調整する。この調整が終わったら本体１０を下方に下げ、腕部材２１、２３を被挟持物５であるベッドフレームと当接させる。そして、つまみねじ１３を回して本体１０を固定する。この状態でネジ部材１７を回し、挟持部３０の挟持片３３を基部１５側へ移動させて被挟持物５であるベッドフレームをしっかりと挟持させる。このとき、ネジ部材１７はベッドの横から、しかも本体１０やつまみねじ１３に作業を妨げられえることなく締着作業を行うことができるので楽に作業ができるので使いが手がよい。
【００２４】
以上のように、本考案の好ましい実施形態について詳述したが、本考案は係る特定の実施形態に限定されるものではなく、実用新案請求の範囲に記載された本考案の要旨の範囲内において、種々の変形・変更が可能であることはいうまでもない。
【図面の簡単な説明】
【００２５】
【図１】本考案に係るフレームジョインタの好ましい一実施形態の平面図である。
【図２】腕部材方向から見た側面図である。
【図３】つまみねじ側から見た側面図である
【図４】本考案に係るフレームジョインタを備えたベッド用手摺の斜視図である。
【符号の説明】
【００２６】
１      フレームジョインタ
５      被挟持物
１０      本体
１１      挿通孔
１３      つまみねじ
１５      基部
１７      ネジ部材
２１      腕部材
２１ａ      段部
２３      腕部材
２３ａ      段部
３０      挟持部
３１      スライド部材
３３      挟持片
５０      ベッド用手摺
５１      ベース
５３      支柱保持部
５５      支柱
５７      手摺
５９      手摺
【図１】
0003146827.tif 000003
【図２】
0003146827.tif 000004
【図３】
0003146827.tif 000005
【図４】
0003146827.tif 000006